(57)【要約】【課題】ダンパーを用いずに、振動を抑えるとともに落下時の衝撃を吸収するハードディスクドライブブラケットを提供することである。【解決手段】ハードディスクドライブを保持するハードディスクドライブブラケット１０において、略平板状の基板部１１と、ハードディスクドライブを固定する固定部１２とが一体成型され、固定部１２は、基板部１１に立設された脚部１２ａ、１２ａと、脚部１２ａ、１２ａに架設され、ハードディスクドライブを固定する上面部１２ｂとを備える構成とする。【選択図】図１
2012248239.tif 000002
【特許請求の範囲】
【請求項１】
ハードディスクドライブを保持するハードディスクドライブブラケットにおいて、
略平板状の基板部と、前記ハードディスクドライブを固定する固定部とが一体成型され、
前記固定部は、前記基板部に立設された複数の脚部と、該脚部に架設され、前記ハードディスクドライブを固定する上面部とを備えることを特徴とするハードディスクドライブブラケット。
【請求項２】
前記ハードディスクドライブを固定した状態では、前記上面部がハードディスクドライブ内のプラッタと平行であることを特徴とするハードディスクドライブブラケット。
【請求項３】
前記基板部と前記固定部とが板金部材であり、前記固定部は、前記基板部の一部を絞り加工して形成することを特徴とする請求項１又は２記載のハードディスクドライブブラケット。
【請求項４】
前記板金部材が０．６ｍｍ以下の厚みの鉄又はブリキであることを特徴とする請求項３記載のハードディスクドライブブラケット。
【請求項５】
前記固定部が２つであることを特徴とする請求項１〜４の何れかに記載のハードディスクドライブブラケット。
【発明の詳細な説明】
【技術分野】
【０００１】
本発明は、ハードディスクドライブを保持するハードディスクドライブブラケットに関する。
【背景技術】
【０００２】
近年、テレビ番組を録画するためのレコーダにハードディスクドライブ（以下、ＨＤＤと記すことがある）を搭載したものが多くなっている。ＨＤＤはその構造上、落下等の衝撃に弱く、ＨＤＤを保持するブラケットとの間にゴムのダンパーを挿入するなどして耐衝撃性をもたせている。このような、耐衝撃性をもたせる構造は他にも種々提案されている。
【０００３】
例えば特許文献１には、筺体内にハードディスクドライブ装置を内蔵したビデオ信号記録及び／又は再生装置において、上記筺体は上面に大きな矩形面を持つ略直方体に形成され、底面部の四隅部近傍に脚体を取付けて成り、上記筺体のほぼ中央部に１台又は複数台のハードディスクドライブ装置を配置した構成が開示されている。
【０００４】
また特許文献２には、開口を有する電子機器本体と、ハードディスクドライブ装置と、前記ハードディスクドライブ装置を保持して、前記開口内に収納されるホルダとを備えた電子機器であって、前記ハードディスクドライブ装置は、前記開口への前記ホルダの挿入方向先端側に接続端子を有し、前記電子機器本体は、前記開口内における前記挿入方向先端側に前記接続端子と前記挿入方向に沿って接続される接続部と、前記開口の外側に設けられ、前記ホルダを固定する固定部とを有し、前記ホルダは、前記挿入方向に沿う底面部、及び、前記底面部から起立し、かつ、前記ハードディスクドライブ装置を固定する起立部を備えるホルダ本体と、前記底面部に沿ってスライド自在に前記ホルダ本体に設けられ、かつ、前記固定部に固定されるスライダとを有し、前記底面部は、前記スライダに対向する方向に突出するボスを有し、前記スライダは、前記ボスが挿通し、当該スライダのスライドを案内するガイド溝を有し、前記ガイド溝は、前記挿入方向に対して傾斜した傾斜部を有し、前記ボスは、前記スライダが前記固定部にて固定される位置にあるときに、前記傾斜部に位置する構成が開示されている。
【先行技術文献】
【特許文献】
【０００５】
【特許文献１】特開２００２−８３６４号公報
【特許文献２】特開２００９−１１６９９５号公報
【発明の概要】
【発明が解決しようとする課題】
【０００６】
しかしながら、特許文献１では、ＨＤＤが脚体から離れて位置することで衝撃から保護されるとあるが、この構成だけで落下時の大きな衝撃を吸収することは難しい。また特許文献２では、起立部でＨＤＤの側面を固定しているので、衝撃時にプラッタに垂直な方向の衝撃を吸収することはほとんどできず、プラッタとヘッドが衝突するおそれがある。
【０００７】
本発明は、ダンパーを用いずに、振動を抑えるとともに落下時の衝撃を吸収するハードディスクドライブブラケットを提供することを目的とする。
【課題を解決するための手段】
【０００８】
上記目的を達成するために本発明は、ハードディスクドライブを保持するハードディスクドライブブラケットにおいて、略平板状の基板部と、前記ハードディスクドライブを固定する固定部とが一体成型され、前記固定部は、前記基板部に立設された複数の脚部と、該脚部に架設され、前記ハードディスクドライブを固定する上面部とを備えることを特徴とする。
【０００９】
上記のハードディスクドライブブラケットにおいて、前記ハードディスクドライブを固定した状態では、前記上面部がハードディスクドライブ内のプラッタと平行であることが好ましい。
【００１０】
また上記のハードディスクドライブブラケットにおいて、前記基板部と前記固定部とが板金部材であり、前記固定部は、前記基板部の一部を絞り加工して形成することが好ましい。
【００１１】
また上記のハードディスクドライブブラケットにおいて、前記板金部材が０．６ｍｍ以下の厚みの鉄又はブリキであることが好ましい。
【００１２】
また上記のハードディスクドライブブラケットにおいて、例えば前記固定部を２つとすることができる。
【発明の効果】
【００１３】
本発明によると、小さな衝撃や振動は固定部の弾性変形によって吸収し、大きな衝撃は固定部の塑性変形によって吸収するので、振動や衝撃からＨＤＤを保護し、破損を防止することができる。また本発明によると、従来のようにダンパーを用いる必要がないので、ダンパーを組み付ける工程と部材とを省略することができ、コストダウンに繋がる。
【図面の簡単な説明】
【００１４】
【図１】本発明の一実施形態のＨＤＤブラケットを示す斜視図である。
【図２】図１のＨＤＤブラケットにＨＤＤを搭載した状態の斜視図である。
【発明を実施するための形態】
【００１５】
以下では、本発明の一実施形態としてＢＤレコーダに用いるハードディスクドライブブラケット（以下、ＨＤＤブラケットと記す）の一例について説明する。
【００１６】
図１は、本発明の一実施形態のＨＤＤブラケットを示す斜視図であり、図２は、図１のＨＤＤブラケットにＨＤＤを搭載した状態の斜視図である。
【００１７】
ＨＤＤブラケット１０は、略平板状の基板部１１と、ＨＤＤ２０を固定する２つのアーチ形状の固定部１２、１２と、ＨＤＤブラケット１０を装置本体に固定する４つの脚片１３とが一体成型されたものである。ＨＤＤブラケット１０は、例えば板金部材であり、低コスト化の観点から鉄又はブリキ等を用いることが好ましい。また、鉄又はブリキを用いる場合、後述する衝撃吸収性の観点から０．６ｍｍ以下の厚みであることが好ましい。
【００１８】
基板部１１は、ＨＤＤ２０の底面と空間を有して対向し、図１、２の形態ではＨＤＤ２０と接触する箇所はない。
【００１９】
固定部１２は、基板部１１に立設された２つの脚部１２ａ、１２ａと、脚部１２ａ、１２ａに架設され、ＨＤＤ２０を固定する上面部１２ｂとで構成される。ＨＤＤブラケット１０が板金部材である場合、固定部１２は基板部１１の一部を絞り加工して形成することができる。ここでは固定部１２を２つとしたが、１つ以上であればその役割を果たす。また、固定部１２はＨＤＤ２０の底面に対向する位置であれば特に配置に決まりはないが、ＨＤＤの固定用のネジ穴の位置がある程度決まっているため、それに合わせるように設計すればよい。ここで、ＨＤＤ２０の底面とは横置きの場合はプラッタと略平行な面であり、縦置きの場合はプラッタと略垂直な面である。
【００２０】
脚部１２ａ、１２ａは略対向する平板形状の部材であり、基板部１１から斜め上方に互いに近づく方向に突出し、ハの字形状となっている。なお、脚部１２ａは基板部１１から複数立設されていれば、その形状や数には特に限定はない。例えば、脚部に階段状に二段以上の段差を設け、衝撃吸収性の向上を図ることも考えられる。また、脚部の数を増やし、それぞれの脚部の幅を細くすれば、様々な方向の衝撃を効率良く分散して吸収できる。
【００２１】
上面部１２ｂは脚部１２ａ、１２ａの上端の幅と同じ幅の平板形状の部材であり、脚部１２ａ、１２ａの上端同士を繋いでいる。また、上面部１２ｂはＨＤＤ２０のネジ穴に重なる位置に２つのネジ穴１２ｃ、１２ｃを有している。上面部１２ｂは、基板部１１と略平行であり、ＨＤＤ２０を固定した状態ではＨＤＤ２０内のプラッタと略平行である。なお、上面部１２ｂは脚部１２ａ、１２ａに架設されＨＤＤ２０を固定することができれば、その形状や大きさには特に限定はない。例えば、脚部の数を増やした場合は全ての脚部に架設される形状とする。
【００２２】
なお、固定部１２のアーチ形状とは、２側面が開口している形状だけでなく、１側面だけ開口している形状や、側面に開口がなく全て埋まっている形状も含んでもよい。
【００２３】
上記のＨＤＤブラケット１０によれば、固定部１２をアーチ形状にすることによって、小さな衝撃や振動は脚部１２ａの弾性変形によって吸収し、大きな衝撃は脚部１２ａの塑性変形によって吸収することができる。したがって、振動や衝撃からＨＤＤ２０を保護し、破損を防止することができる。
【００２４】
また、ＨＤＤ２０内のプラッタと上面部１２ｂとが略平行であるので、ＢＤレコーダを梱包状態で落下させた場合など、大きな衝撃を受けた場合に、脚部１２ａが塑性変形してプラッタに垂直な方向の衝撃を吸収し、プラッタとヘッドが衝突することを防止できる。さらに、上記のＨＤＤブラケット１０では薄い板金部材（例えば０．６ｍｍ以下）を用いているので、より弾性変形や塑性変形しやすくなっているとともに、コストダウンもできる。
【００２５】
また、従来のようにダンパーを用いた場合、ダンパーがゴム等の絶縁材であるのでＨＤＤをグランド接続する必要があるが、上記のＨＤＤブラケット１０によると固定部１２でグランド接続もされるので、従来のグランド接続する工程と部材とを省略することができ、コストダウンに繋がる。
【００２６】
このように、上記のＨＤＤブラケット１０が従来のＨＤＤブラケットと根本的に異なるのは、固定部１２を塑性変形させて衝撃を吸収する点にある。従来のＨＤＤブラケットは変形しないことが大前提にあった。従来の鉄製のＨＤＤブラケットの厚みは例えば１．２ｍｍであり、製品を落下させても変形しないように設計されていた。また、ダンパーを用いる場合、ＨＤＤブラケットの厚みを薄くするとネジ穴の鋭利な端部によってダンパーが切れるおそれがあり、この点からもＨＤＤブラケットの厚みを厚くしていた。
【産業上の利用可能性】
【００２７】
本発明のＨＤＤブラケットは、ＰＶＲ（Personal Video Recorder）、ＰＣ（Personal Computer）、外付けＨＤＤなど各種形態の機器に利用することができる。
【符号の説明】
【００２８】
１０  ハードディスクドライブブラケット
１１  基板部
１２  固定部
１２ａ  脚部
１２ｂ  上面部
２０  ハードディスクドライブ
【図１】
2012248239.tif 000003
【図２】
2012248239.tif 000004